(57)【特許請求の範囲】
【請求項１】
一端を刺し部位とし、刺し部位先端を鋭利形状とし、先端仰角を理論先端仰角とし、刺し部位から上方に連結部位を形成して支持部位に至り、連結部位または支持部位を刺し部位先端に対向する対向部位とし、対向間隙を理論対向間隙とし、ゴミ袋の一部を刺し部位に刺すことでゴミ袋を保持するゴミ袋ホルダー。
【請求項２】
一端を刺し部位とし、刺し部位先端を鋭利形状とし、先端仰角を理論先端仰角とし、刺し部位から上方に連結部位を形成して支持部位に至り、支持部位に取付部位を有し、連結部位または支持部位または取付部位を刺し部位先端に対向する対向部位とし、対向間隙を理論対向間隙とし、ゴミ袋の一部を刺し部位に刺すことでゴミ袋を保持するゴミ袋ホルダー。
【請求項３】
吸着取付であることを特徴とする請求項２に記載のゴミ袋ホルダー。
【請求項４】
複数の刺しフックをセットで使用することを特徴とする請求項１、２、３の何れかに記載のゴミ袋ホルダー。
【発明の詳細な説明】
【技術分野】
【０００１】
本発明は、ゴミを入れる袋を保持するフックに関するものである。
【背景技術】
【０００２】
便利と清潔と廃物利用の観点から、ゴミは袋で収集し保存し廃棄するのが最近の大勢である。
公共的なゴミ箱でも、専用のポリエチレン袋などを箱の中に設置して、袋ごと回収するようになっている。
家庭では、専用の袋の場合もあるが、レジ袋などを活用することが多い。生ゴミや紙おむつやペットのおしっこシートやトイレの汚物入れなどでは、ゴミ箱の中に袋を取り付けておくのが普通である。道路を掃除したゴミや庭木を剪定した枝葉や刈草などでも袋を利用する。紙類はゴミ箱に直接に捨てる場合もあるが、最終的には袋に入れ替える。こうして保存している袋を、ゴミの回収日に指定袋に詰めてゴミ集積所に運ぶ。
【０００３】
ゴミ袋を取り付けるのに便利なように各種の工夫を施したゴミ箱が市販されている。しかし、サイズの決まった専用のポリエチレン袋などを使用する場合はともかく、レジ袋などを活用しようとする場合には、うまく取り付かない、見かけが悪い、落下する、小さい、などの理由で廃物の袋は使用できないこともある。
【０００４】
料理の生ゴミは水を含む場合が多く、都度ゴミ箱に捨てるのは面倒である。普通はシンクなどに設置した水切り袋に入れて、まとめてゴミ箱に捨てる。水切り袋は回収したペットボトルを材料にした専用の網状の袋などが市販されている。水切り袋は三角コーナーという沢山のスリットの入ったプラスチックの箱に入れる場合が多い。水切り袋の開口部は裏返して三角コーナーの上辺に掛けて起立状態を保つ。三角コーナーはシンクの角に置く事が出来るので便利である。
【０００５】
三角コーナーは箱状でスリットがあるので、汚れが付きやすく、ヌメリが出る。頻繁に洗わないとカビが出て不潔で汚くなる。しかし綺麗に洗うには手間がかかるし、汚れは十分に取りきれない場合もある。
また、網状の水切り袋は、水切りの早さは大きいが、シンクに洗い桶の水を一挙に流すと、網から水が流れ込み中身が再び濡れてしまうという欠点がある。
三角コーナーは箱状で、水切り袋の開口部は裏返しての上辺に掛けるので、サイズが適合する専用の水切り袋を使用する必要がある。
【０００６】
レジ袋は程ほどの強度もあり、サイズも手ごろで、取っ手もついている。ゴミ箱に入れて利用するのに便利である。
一方、パックの豆腐を入れるなどの水漏れを防ぐ極薄の袋は、あまり用途がない。雨の日に配達される新聞も極薄の袋に入っていることが普通になった。これらはペットの糞とりには薄くて不安がある。極薄袋はそのままゴミとして捨てる人が多い。
食パンの袋や小麦粉の袋や野菜や果実の袋は、サイズが小さく、ゴミ箱には使用できない。
これらの極薄や小サイズの袋は大半が廃物利用されないでゴミになっている。
【０００７】
この特許文書では、煩雑な記述を簡素な記述とするために、多用する説明などについて、下記のように記述する。
ゴミを入れるポリエチレンなどの袋を、「ゴミ袋」と記述する。大半はプラスチックであるが、それに限るものではない。
水切り用の穴のあいたゴミ袋を普通のゴミ袋と区別する場合は、「水切り袋」と記述する。
マーケットなどで購入品を入れるためにレジなどで渡されるポリエチレンなどの袋を、「レジ袋」と記述する。
豆腐やイチゴやおかずパンなどを買った時に水漏れや落下や傷や汚れを防ぐために使う袋や、雨の日に配達される新聞をカバーする袋など、極薄のポリエチレンなどの袋を、「保護袋」と記述する。
食パンの袋や小麦粉の袋や野菜や果実の袋など、物品を売るのに便利なように単位量で包装している袋を、「包装袋」と記述する。
ゴミを入れることを目的として製造販売されているポリエチレンなどのゴミ袋を、「専用ゴミ袋」と記述する。
ゴミ袋を保持する道具を、「ゴミ袋ホルダー」と記述する。
【０００８】
柔軟性ゴミ容器保持具(B65F1/14@A)の先行技術文献は、２０１４年５月現在で９８１件が検索された。
登録特許は９０件で、大半がゴミ箱に関するものである。
【０００９】
特許文献０１、０２、０８、０９、１３は、ゴミ袋ホルダーとしてのゴミ箱の特徴的な特許である。
特許文献０１は開口径の小さいゴミ袋にも使用でき、ゴミ袋を立たせる機能を持つものである。
特許文献０２はゴミ袋を立たせゴミの投入とゴミ袋の取り出しを容易とするものである。
特許文献０８はゴミ袋を立たせゴミ袋の取り出しを容易とするものである。
特許文献０９はゴミ袋を開口させゴミ袋の口を汚さないでゴミの投入を容易とするものである。
特許文献１３はダストカートで重くなったゴミ袋を取り外しやすくするものである。
【００１０】
このように、ゴミ袋ホルダーとしてのゴミ箱の要件は、袋の口を開口して保持してゴミの投入を容易にし、袋を起立させ、蓋をするなどして清潔に保ち、ゴミの入ったゴミ袋を取り出し易くする、ということである。さらに美観を損なわない、分別に便利、折り畳みができる、整理に便利、などの付帯機能を工夫した特許が大半である。
【００１１】
生ゴミの水切りのゴミ袋ホルダーに関連する先行技術文献が特許文献０３、０５、０６、０７、１０、１１、１２、１５、１８、１９、２０である。
【００１２】
特許文献０３はシンク周りの状態に応じて適切な枠体の取付箇所を選択することを課題としたものである。
特許文献０５は開口部の確保と袋のサイズ違いによるたるみを吸収することを課題としている。ゴミ袋の固定にスリット状の切り欠きを利用しており、特許文献０４も同様の固定方法である。
特許文献０６は水切り袋を選択し大きさおよび性状の異なる収納物の収納を可能とするものである。
特許文献０７はヌメリや汚れを掃除しやすい枠体とし枠体を折り曲げて蓋ができるようにしたものである。
特許文献１０はいわゆる三角コーナーの改良である。水切り袋をゴミ容器に対して確実に固定し、掃除を容易とすることなどを課題としている。
特許文献１１はふくらんだゴミ袋を簡単に外すことを課題としている。
特許文献１２はゴミ袋の落下を防ぎ取り付け取り外しと掃除が容易であることを課題としている。
【００１３】
このように、生ゴミの水切りのゴミ袋ホルダーの要件は、ゴミ袋を開口させること、ゴミ袋の口を確実に保持すること、ゴミ袋のサイズの違いに対応すること、ゴミ袋ホルダーが掃除がしやすいこと、ゴミ袋が取り付けやすいこと、ゴミ袋が取り外しやすいこと、蓋ができること、などである。
【００１４】
特許文献１５は特殊なゴミ袋ホルダーである。ゴミ袋を保持するのに係止具を使用することが記述されている。その係止具は針状であり、袋の口の周辺に刺して係止するものであることは、記述ではなく図からだけうかがうことができる。
【００１５】
袋を破く、刺す、引っ掛ける、などの方法でゴミ袋を保持する先行技術文献が、特許文献１１、１４、１５、１６、１７、１８、１９、２０である。
検索した９８１件のなかで「刺す」に類する方法でゴミ袋を保持するものは、この８件のみのようである。
【００１６】
これらの先行技術文献では、ゴミ袋は次のような方法で保持される。
特許文献１１はＣ型リングの奥の係止突起に刺す。
特許文献１４は三角フレームの角で刺す。
特許文献１６はゴミ台の上辺に突き出した棒に刺す。
特許文献１７はスパイクの突起と穴で挟む。
特許文献１８は吸着盤の連接された爪に刺す。
特許文献１９はゴミ容器の開口部に嵌合するコマにつけた角に刺す。
特許文献２０は噛み合う対の鋸歯で挟む。
【００１７】
特許文献１５は安全性については考慮されていない。係止具が針であるとすれば、針先は露出しており、手を傷つけるなどの危険がある。また、大半が枠体や吸盤で複雑に構成されており、掃除が容易なものではない。
特許文献１８も針は曲がって描かれているが、針先は露出しており、手を傷つけるなどの危険がある。曲がった針は上方に向けなければゴミ袋は保持できないので尚更である。
特許文献１１は、全体はＣ型リングとブラケットから構成されているが、係止突起にはそれと嵌合する抑え板が付属し、抑え板は回動する構造であるから、掃除が容易な構造ではない。ブラケットとシンクの間はヌメリやカビで汚れ、ゴミ袋ホルダーを取外して掃除する必要がある。
特許文献１４は、落下防止と清掃の点からは長所を有するが、三角フレームに被せるのでゴミ袋のサイズには制限があり、ゴミ袋の取り付けも簡便と言う程ではない。ゴミ袋ホルダーは吊り下げる構造となっているので、ゴミの投入時には都度持ち上げる必要がある。またシンクには取り付けにくい。生ゴミの水切りのゴミ袋ホルダーとしては使い難い。
特許文献１６は普通のゴミ箱であり、安全性については考慮されていない。複数の棒が上方に突き出しており、手だけでなく目や顔を傷つけるおそれがあり、極めて危険である。掃除も面倒である。
特許文献１９もゴミ箱に取り付けると角が上方に突き出すので、手だけでなく目や顔を傷つけるおそれがあり、極めて危険である。
特許文献１７と特許文献２０は噛み合う部材でゴミ袋を固定するもので、構造は複雑であり、掃除には非常に手間がかかる。
【先行技術文献】
【特許文献】
【００１８】
【特許文献０１】特許第5371137号
【特許文献０２】特許第5343277号
【特許文献０３】特許第5313056号
【特許文献０４】特許第4831704号
【特許文献０５】特許第4178524号
【特許文献０６】特許第4654730号
【特許文献０７】特許第4362836号
【特許文献０８】特許第4015971号
【特許文献０９】特許第3089547号
【特許文献１０】特許第3113618号
【特許文献１１】特許第3219671号
【特許文献１２】特許第1837102号
【特許文献１３】実登第3029303号
【特許文献１４】実開H05-26905号
【特許文献１５】実開H02-69815号
【特許文献１６】実開S62-165205号
【特許文献１７】実開S58-34802号
【特許文献１８】実開S51-36437号
【特許文献１９】実開S50-74776号
【特許文献２０】実開S49-14774号
【発明の概要】
【発明が解決しようとする課題】
【００１９】
本発明は、汚れる部分が少ない、ゴミ袋ホルダーを提供することを課題とする。
本発明は、清掃が極めて容易な、ゴミ袋ホルダーを提供することを課題とする。
本発明は、手指などを傷つけることのない、安全なゴミ袋ホルダーを提供することを課題とする。
本発明は、サイズの異なる色々な廃物の袋を使用できる、ゴミ袋ホルダーを提供することを課題とする。
本発明は、専用ゴミ袋やレジ袋だけでなく、極薄の保護袋や小さ目の包装袋などの従来は廃物利用に使われ難かった袋もゴミ袋として利用できる、ゴミ袋ホルダーを提供することを課題とする。
本発明は、ゴミ袋の取り付けが極めて容易な、ゴミ袋ホルダーを提供することを課題とする。
本発明は、ゴミ袋の取り外しが極めて容易な、ゴミ袋ホルダーを提供することを課題とする。
本発明は、水切りの良い、ゴミ袋ホルダーを提供することを課題とする。
本発明は、ゴミ袋の口の開口が良い、ゴミ袋ホルダーを提供することを課題とする。
本発明は、シンクなどの周辺の清掃時にも邪魔にならない、使用していない場合にも邪魔にならない、極めてコンパクトな、ゴミ袋ホルダーを提供することを課題とする。
本発明は、ゴミ箱などに取り付けるとゴミ袋の折り返しが見えず見栄えが良くなり、小さい袋も落下することのないゴミ袋ホルダーを提供することを課題とする。
本発明は、床に置くゴミ箱が邪魔になるような場合も、柱や壁や家具などに取り付けて使用できる、省スペースのゴミ袋ホルダーを提供することを課題とする。
【課題を解決するための手段】
【００２０】
本発明の前記ならびに他の目的と新規な特徴は以下の説明を添付図面と照らし合わせて読むと、より完全に明らかになるであろう。
図面に付す符号は、共通の部材・動作・位置・機能などには同一の符号を付す場合もある。明らかな場合には重複する説明を省略する場合もある。
ただし、図面はもっぱら解説のためであって、本発明の記述的範囲を限定するものではない。
【００２１】
本発明は、ゴミ袋を刺して保持するゴミ袋ホルダーである。
【００２２】
本発明のゴミ袋ホルダーの代表的な取りつけ状態を、「通常の取付」と記述する。図１にその状態を例示した。
記述に用いる水平面や上下前後左右などの方向や角度などは、本発明のゴミ袋ホルダーを図１の通常の取付で操作者と対面する位置に使用している場合として表現する。上下前後左右などの方向は操作者からの方向として記述する。前とはゴミ袋ホルダーから操作者の方向を意味する。引くとか押すとかもこの位置の操作者の動作として表現する。
ただし、本発明のゴミ袋ホルダーを操作者の側（例えばシンクの手前の壁）や左右の位置（例えばシンクの左右の壁）や角（例えばシンクのコーナー）その他、操作者と対面する位置以外に取り付けて使用することを否定しているものではない。上記の方向や角度などの表記方法は、本発明の構造や機能を解りやすく説明するための記述の約束にすぎない。
また、本発明のゴミ袋ホルダーを厳密に通常の取付で使用するものであると限定しているわけではない。本発明のゴミ袋ホルダーは通常の取付から常識的な角度まで、例えば前後左右に略４５度程度の角度までは、傾けて使用する場合を除外するものではない。
太さのあるものは、必用に応じて中心線で大きさや角度などを表現する。
また、この特許文書では、煩雑な記述を簡素な記述とするために、多用する説明などについて、下記のように記述する。
本発明のゴミ袋ホルダーを、「のしフック」と記述する。
のしフックを取り付けるシンクやゴミ箱や壁や家具などを、「被取付部材」と記述する。
のしフックのゴミ袋を刺して保持する部位を、「刺し部位」と記述する。
刺し部位のゴミ袋を刺す先端を、「刺し部位先端」と記述する。
刺し部位先端の水平面に対する上向きの角度を、「先端仰角」と記述する。この時の角度とは、刺し部位が直線の場合は直線の方向の角度、刺し部位が曲線の場合は刺し部位先端での刺し部位の形状の接線方向の角度である。
刺し部位先端の刺し易い形状を、「鋭利形状」と記述する。
刺し部位などを支持する部位を、「支持部位」と記述する。
刺し部位と支持部位を連結する部位を、「連結部位」と記述する。
連結部位の形状を、「のの字形状」と記述する。
物体が刺し部位先端の延長上の近傍にあることを、「対向する」と記述する。
刺し部位先端と対向する部位を、「対向部位」と記述する。
刺し部位先端と対向部位の間隙を、「対向間隙」と記述する。
刺し部位先端と対向部位の角度で、連結部位と反対側の角度を、「先端外角」と記述する。
のしフックを任意の被取付部材に取り付ける部位を、「取付部位」と記述する。
取付部位が支持部位と一体のものを、「一体取付部位」と記述する。
取付部位が支持部位または支持部位に固定した部位と分離できるものを、「分離取付部位」と記述する。
取付部位を接着や融着やねじ止めなどによって取り付ける取付を、「固着取付」と記述する。
取付部位を粘着によって取り付ける取付を、「粘着取付」と記述する。
取付部位を磁石や吸盤などの吸着によって取り付ける取付を、「吸着取付」と記述する。
これらの定義で「通常の取付」を再び表現すると、水平または鉛直の取付面と垂直の面内に刺し部位が位置し、刺し部位先端が水平面より上向きの角度となる取付のこと、と言える。
支持部位と取付部位は部位の働きを定義したものである。構造的には、支持部位だけの場合と、支持部位に取付部位が付いている場合と、支持部位は取付部位と一体である場合がある。
分離取付部位で対向部位が支持部位に固定した部位である場合も、「刺し部位先端は取付部位と対向する」などと簡便に記述する。
また、対向間隙は刺し部位先端と対向部位の隙間という意味であり、説明では先端仰角の方向では表していない。
取付部位の取付方法はここで定義した固着取付と粘着取付と吸着取付に限るものではない。
【００２３】
図１に通常の取付とした本発明の“のしフック”００１の基本構造の例を示す。略鉛直の取付部位の例である。
００２は刺し部位、００３は刺し部位先端、００４は先端仰角、００５は対向部位、００６は対向間隙、００７は連結部位、００８は支持部位、００９は取付部位、０１０は被取付部材、０１１は先端外角、である。
【００２４】
本発明は、ホルダーの一端を刺し部位とし、刺し部位先端を鋭利形状とし、０度から９０度、望ましくは１５度から６０度の先端仰角をもたせ、刺し部位から上方に”のの字形状”の連結部位を形成して支持部位に至り、連結部位または支持部位を刺し部位先端と対向させて対向部位とし、対向間隙はゴミ袋の口の端を挿入することが可能で指は入らない寸法、例えば１mmから１０mm、望ましくは２mmから６ｍｍの間隙とし、支持部位を被取付部材に取り付け、ゴミ袋の開口部近傍の一部を刺し部位に刺すことでゴミ袋を保持するゴミ袋ホルダーである。
【００２５】
本発明は、ホルダーの一端を刺し部位とし、刺し部位先端を鋭利形状とし、０度から９０度、望ましくは１５度から６０度の先端仰角をもたせ、刺し部位から上方に”のの字形状”の連結部位を形成して支持部位に至り、支持部位に固着取付または粘着取付または吸着取付などの一体取付部位または分離取付部位などの取付部位を有し、連結部位または支持部位または取付部位を刺し部位先端と対向させて対向部位とし、対向間隙はゴミ袋の口の端を挿入することが可能で指は入らない寸法、例えば１mmから１０mm、望ましくは２mmから６ｍｍの間隙とし、取付部位を被取付部材に取り付け、ゴミ袋の開口部近傍の一部を刺し部位に刺すことでゴミ袋を保持するゴミ袋ホルダーである。
【００２６】
のしフックとして使用可能な０度から９０度の先端仰角を、この文書では「理論先端仰角」と記述する。
のしフックとして望ましい１５度から６０度の先端仰角を、この文書では「適正先端仰角」と記述する。
のしフックとして使用可能な１ｍｍから１０ｍｍの対向間隙を、この文書では「理論対向間隙」と記述する。
のしフックとして望ましい２ｍｍから６ｍｍの対向間隙を、この文書では「適正対向間隙」と記述する。
【００２７】
図２にゴミ袋１０１と“のしフック”００１の関係を示す。
図２（ａ）はゴミ袋１０１の口１０２の端を図示しない指でつまんで、刺し部位先端と対向部位の間隙に差し込んだ状態である。ゴミ袋１０１の口１０２の上部は撓んで皺がよった状態で差し支えない。
適正対向間隙であれば、どのようなゴミ袋でもゴミ袋１０１の口１０２を容易に差し込むことができる。
たとえ理論対向間隙の最小間隙、すなわち１ｍｍでも、ゴミ袋１０１の口１０２を差し込むのにほとんど支障はない。
刺し込みは、対向部位にゴミ袋を沿わせることで容易に行うことができる。
９０度未満の先端外角であれば刺し部位もガイドの作用を果たすので、差し込みは更に容易である。
理論対向間隙であれば指が刺し部位先端で傷つけられることはほとんど無いが、先端外角が１２０度以下であると安全性は向上する。先端外角が９０度以下であれば更に望ましい。
【００２８】
図２（ｂ）はゴミ袋１０１を“のしフック”００１に刺して取り付けた状態である。差し込んだゴミ袋１０１の口１０２の端を前の方向（図の左方向）に引くだけの動作で取り付けが完了する。
適正先端仰角であれば、刺したゴミ袋は自然に抜けて落下することはない。
理論先端仰角の最小角度、すなわち０度であっても、刺したゴミ袋はめったに自然に抜けて落下することはない。
【００２９】
図２（ｃ）はゴミ１０３の入ったゴミ袋１０１を“のしフック”００１から取り外す状態である。適正先端仰角であれば、刺したゴミ袋１０１の口１０２の端を図示しない指で持って後の方向（図の右方向）に押すだけの動作で取り外しが完了する。
適正対向間隙であれば、どのようなゴミ袋でもゴミ袋１０１の口１０２を容易に抜き出すことができる。
たとえ理論対向間隙の最小間隙、すなわち１ｍｍでも、ゴミ袋１０１の口１０２を抜き出すのにほとんど支障はない。
理論先端仰角の最大角度、すなわち９０度であっても、刺したゴミ袋１０１の口１０２の端を上に少し持ち上げて後の方向に押すだけの動作で取り外しが完了する。
【００３０】
ゴミ袋の下部は、例えばシンクなどの底に当っても、宙に浮いた状態でも良い。
ゴミ袋の強度が弱い場合は、ゴミ袋の下部を例えばシンクなどの底に当てると、重い内容物にも耐えるようにできる。
ゴミ袋の口は、刺され保持される側の反対側は袋の形状維持作用と自重と被取付部材からの反力で、若干垂れても開口状態を保つ。
ゴミ袋にゴミが入ると、ゴミの自重で袋は押し広げられて、開口状態がさらに保たれる。
２つの“のしフック”を対で使用すると、袋の開口状態はさらに安定したものとなる。図３（ｃ）にその様子を示した。
【００３１】
大きな口のゴミ袋は、口を折り寄せて“のしフック”に刺すことで、開口サイズを調節することができる。図３（ａ）。
２つの“のしフック”を対で使用する場合は、大きな口のゴミ袋の２ヶ所の刺す位置を調節して間に皺を作ることで、開口サイズを適切に調節することができる。図３（ｂ）。
３つ以上の“のしフック”を使用する場合は、大小の口のゴミ袋を刺す“のしフック”を選択して、開口状態を適切に調節することができる。
のしフックを対で使用する場合に少なくとも片方を移動の容易な“のしフック”とすれば、大小の口のゴミ袋のサイズに合わせて片方または両方の“のしフック”を移動することで、色々なサイズのゴミ袋を適切な開口状態で保持することができる。
保護袋のように強度の弱い袋は、口を二重以上に折り込んで“のしフック”に刺すことで、強度を上げることができる。図３（ｃ）。
長すぎるゴミ袋は、口を二重以上に折り込んで“のしフック”に刺すことで、長さを調節することができる。
【００３２】
２つ以上の“のしフック”は、単体の“のしフック”を被取付部材に別々に取り付けて使用することができる。
２つ以上の“のしフック”は、刺し部位と連結部位などが別で取付部位を共通とする、一体の“のしフック”とすることもできる。
取付部位が単独であるか共通であるかは問わず、複数の“のしフック”を協調して使用することを「複数の刺しフックをセットで使用する」、と記述する。
【００３３】
水切り袋は市販のものを使用する事もできるが、穴のないゴミ袋に穴をあけて使用すると良い。ゴミ袋の下部の両端に小さい穴を２つ位あけるだけて十分の水切り効果がある。穴は押しピンや千枚通しで刺すなどして開けられるが、“のしフック”の刺し部位に刺して抜くことであけることもできる。穴のかわりに袋の底に鋏で小さい切込みを幾つか入れる方法も良い。
小さい穴や切込みは水の逆流入が少なく、水切り効果をさらに高くする。
【発明の効果】
【００３４】
本発明は、面積が小さく単純形状の簡素な構造であるので、汚れる部分が少ないゴミ袋ホルダーである。
本発明は、面積が小さく単純形状の簡素な構造であるので、清掃が極めて容易なゴミ袋ホルダーである。
本発明は、刺し部位先端の鋭利形状が対向部位と指の入らない対向間隙で対向した構造であるので、手指などを傷つけることのない、安全なゴミ袋ホルダーである。
本発明は、ゴミ袋を刺し部位に刺して保持するもので、ゴミ袋の口を折り重ねたり皺を作ったりできるものであるから、サイズの大きな袋も適切な大きさに開口させて使用できるゴミ袋ホルダーである。
本発明は、ゴミ袋を刺し部位に刺して保持するものであるから、小さ目の包装袋などの従来は使われ難かった廃物の袋もゴミ袋として利用できるゴミ袋ホルダーである。
本発明は、複数の刺しフックをセットで使用するときに使用箇所を選択できるものであるから、サイズの異なる袋を使用できるゴミ袋ホルダーである。
本発明は、保護袋のように強度の弱い袋は、口を二重以上に折り込んで刺すことで強度を上げることができるものであるから、専用ゴミ袋やレジ袋だけでなく、極薄の保護袋などの従来は使われ難かった廃物の袋もゴミ袋として利用できる、ゴミ袋ホルダーである。
本発明は、保護袋のように強度の弱い袋でも、ゴミ袋の下部をシンクなどの底などに当てるようにして使用することで、重い内容物にも耐えるようにことができるものであるから、専用ゴミ袋やレジ袋だけでなく、極薄の保護袋などの従来は使われ難かった廃物の袋もゴミ袋として利用できる、ゴミ袋ホルダーである。
本発明は、ゴミ袋の口を、刺し部位と対向部位の間に差し込んで、略前に引くだけの動作で、刺し部位先端の鋭利形状で袋を刺すことができるものであるから、ゴミ袋の取り付けが極めて容易なゴミ袋ホルダーである。
本発明は、刺したゴミ袋が外れて落下することのないゴミ袋ホルダーである。
本発明は、刺したゴミ袋の口を略後に押すだけで抜くことができる構造のものであるから、ゴミ袋の取り外しが極めて容易な、ゴミ袋ホルダーである。
本発明は、水きり袋の底ををシンクなどの底より浮かせて取り付けることのできる構造のものであるから、網状の水きり袋であっても、シンクなどの水が水きり袋の中に逆流して内容物を再び濡らすことを防ぐ、水切りの良いゴミ袋ホルダーである。
本発明は、底部近傍に小さな穴または切込みを入れたゴミ袋を水きり袋とすることが出来るので、ゴミ袋の底がシンクなどの底に着いていてもシンクなどの水がゴミ袋の中に逆流して内容物を再び濡らすことは少なく、水切りの良いゴミ袋ホルダーである。
本発明は、底部近傍に小さな穴または切込みを入れたゴミ袋を水きり袋とすることが出来るので、従来は廃物利用に使われ難かった袋も水きり袋として利用できるゴミ袋ホルダーである。
本発明は、ゴミ袋の口の後を刺して保持する構造であるから、ゴミ袋の口の前は袋の形状維持作用と自重と被取付部材からの反力で、若干垂れても開口状態を保つので、ゴミ袋の口の開口が良くゴミの投入が容易なゴミ袋ホルダーである。
本発明は、複数の刺しフックをセットで使用することによりゴミ袋の口の開口をより確実にできるので、ゴミ袋の口の開口が良くゴミの投入が容易なゴミ袋ホルダーである。
本発明は、複数の刺しフックをセットで使用する場合、特に対で使用する場合に、少なくとも片方に移動の容易な取付方法を採用すると取付間隔を調整できるので、色々なサイズのゴミ袋を適切な開口状態で保持できるゴミ袋ホルダーである。
本発明は、簡素な構造で面積が小さく、シンクなどの清掃時にも邪魔にならず、使用していない場合にも邪魔にならない、極めてコンパクトなゴミ袋ホルダーである。
本発明は、一体取付部位が簡単に着脱できるものである場合は、取り外すことで、
シンクなどの清掃が更に容易になり、自信の清掃も容易なゴミ袋ホルダーである。
本発明は、取付部位を分離取付部位とすると突出部分を簡単に取外すことが出来て、シンクなどの清掃時にも邪魔にならず、使用していない場合にも邪魔にならない、さらにコンパクトなゴミ袋ホルダーとすることができる。
本発明は、実施例で説明する各種の処置を講ずることで、汚れを少なくし、清掃を極めて容易にすることができるゴミ袋ホルダーである。
本発明は、ゴミ箱などに使用するとゴミ袋の折り返しが見えず見栄えが良くなり、小さい袋も落下することのないゴミ袋ホルダーである。
本発明は、床に置くゴミ箱が邪魔になるような場合も、柱や壁や家具などに取り付けて使用できる、省スペースのゴミ袋ホルダーである。
【図面の簡単な説明】
【００３５】
【図１】図１は、本発明のゴミ袋ホルダーの基本構造の説明図である。
【図２】図２は、本発明のゴミ袋ホルダーに於けるゴミ袋の取り付けと取り外しの説明図である。
【図３】図３は、本発明のゴミ袋ホルダーの使用方法例の説明図である。
【図４】図４は、実施例１の失敗例の説明図である。
【図５】図５は、実施例２のゴミ袋ホルダーの説明図である。
【図６】図６は、実施例２のゴミ袋ホルダーの取付状態の説明図である。
【図７】図７は、実施例３の分離取付部位の説明図である。
【図８】図８は、実施例４の吸着取付の説明図である。
【図９】図９は、実施例５の支持部位が取付部位と一体となった説明図である。
【図１０】図１０は、実施例７の鋭利形状の説明図である。
【図１１】図１１は、実施例８の連結部位の説明図である。
【図１２】図１２は、実施例９の略水平取付の説明図である。
【図１３】図１３は、実施例１０の汚れ対策の説明図である。
【図１４】図１４は、実施例１１のゴミ箱に使用した説明図である。
【発明を実施するための形態】
【００３６】
本発明のゴミ袋ホルダーの発明に至る前の失敗例を記して改良の過程を明らかにし、本発明のゴミ袋ホルダーの基本的な形態の実施例と、着脱容易な形態とした実施例を例示し、付随する色々な実施例を例示し、その機能と効果を明らかにした。
【実施例１】
【００３７】
図４は最初に試作したゴミ袋ホルダー２０１である。
直径略２ｍｍのステンレスの棒の先を削って針形状２０２とし、半径略６mmの角丸め２０３のついた略２０ｍｍの辺の矩形状態２０４に曲げ、第四辺２０５は上方に略４０ｍｍ延長し、略水平後方に略５０ｍｍ曲げた第五辺２０６を形成した。針形状２０２と第四辺２０５の間隙は略５ｍｍとした。２０７は図示しない壁に取り付けられた食器洗いスポンジの棚で格子形状である。第五辺２０６は棚２０７の格子に合わせて波形状に曲げ、第五辺２０６を水平斜めにして棚２０７の格子に挿入し、若干撓ませながら水平後方に戻すことで、ゴミ袋ホルダー２０１を棚２０７に固定した。
ゴミ袋ホルダー２０１は２個作成し、棚２０７の寸法に合わせて略１５０ｍｍの間隔をあけて取り付けた。
【００３８】
針形状２０２と第四辺２０５の間には指は入らないので安全である。
ゴミ袋の口の後を指で持ち、下に折り曲げて針形状２０２と第四辺２０５の間に挿入して前に引くことで、ゴミ袋はゴミ袋ホルダー２０１に刺さり保持される。この動作はさほど困難ではない。
ゴミ袋はゴミ袋ホルダー２０１の第三辺２０８に支持されて自然に外れることはない。
【００３９】
しかし、この形状には幾つかの問題があった。
第一に、ゴミの入ったゴミ袋の取り外しが大変困難である。前に引いて、上に持ち上げ、口を下に折り曲げ、後に押して、ゴミ袋はゴミ袋ホルダー２０１からはじめて抜けるが、ゴミが入って重くなったゴミ袋は膨らんでもおり、これらの一連の動作の妨げとなる。
第二に、被取付部材である棚２０７は一般に存在するとは限らず、存在していても構造寸法は様々で、取付方法も個別対応となる。
第三に、被取付部材である棚２０７の位置は適正とは限らず、ゴミ袋ホルダー２０１の位置は前後にも左右にも適正な位置と出来ない可能性の方が大きい。
第四に、棚２０７の寸法は様々で、複数のゴミ袋ホルダー２０１を取り付ける間隔を好きに設定できるとは限らない。
第五に、今回使用した食器洗いスポンジの棚２０７からは汚れた洗剤が落下し、当初に「高い位置から支持すると汚れ難いであろう」と期待したような清潔な状態に保てない。また、ゴミ袋ホルダー２０１を棚２０７から取り外さないと、それらを清潔に掃除できない。
従って、安全性の課題は達成したものの、ゴミ袋ホルダーとしての他の要件を満たすものではなく、改善を要することが明らかとなった。
【実施例２】
【００４０】
実施例１の失敗を解決すべく考案したのが、図５のゴミ袋ホルダー３０１、通称“のしフック”である。（ａ）は正面図、（ｂ）は側面図、（ｃ）は平面図である。
直径略２ｍｍのステンレスの棒の先端を、頂角が略３０度の円錐の鋭利形状に削り、刺し部位先端３０２とした。刺し部位３０３は先端仰角が略３０度で長さ略７ｍｍの直線状とした。連結部位３０４は半径略９ｍｍの略円弧の“のの字形状”とし、刺し部位３０３から連結部位３０４への移行部は略３ｍｍの角丸めとした。連結部位３０４の終端から“のの字形状”の円弧接線下方向に支持部位３０５を形成し、支持部位３０５は略９０ｍｍの直線状とした。
この例の場合は支持部位３０５の上端近傍が対向部位３０６となる。例えば先端仰角を４５度以上とすると、対向部位３０６は連結部位３０４に位置することとなる。
対向間隙３０６は水平距離で略４ｍｍとした。この例の場合、先端仰角の方向での寸法は５ｍｍ弱となる。先端外角は略６０度であり、刺し部位３０３の鋭利形状が手指を傷つけることはなく、極めて安全である。
【００４１】
取付部位３０７は粘着取付とした。
厚さ１ｍｍのポリプロピレンの板を使用した。巾が略４０ｍｍ、長さが略６０ｍｍの矩形３０８を１枚つくり、角には略３ｍｍの角丸めを入れた。
別に巾が略１８ｍｍ長さが略６０ｍｍの矩形３０９と、巾が略１６ｍｍ長さが略６０ｍｍの矩形３１０を１枚づつ作成した。
矩形３０８の中央に矩形３０９と矩形３１０を重ね、アイロンで融着した。
矩形３０９と矩形３１０の両サイドはカッターで４５度に削り滑らかにした。
【００４２】
取付部位３０７の中央に連結部位３０４が立つように支持部位３０５を重ね、支持部位３０５にアイロンを当てて押して、矩形３０９と矩形３１０を溶かして埋め込んだ。
取付部位３０７の背面に、市販の幅２０ｍｍの強めの剥がせる粘着両面テープを二列にして全面に貼った。剥がせる粘着両面テープは一般用のもので、不織布とアクリル系粘着材を使用している。
“のしフック”３０１は２個作成した。
【００４３】
図６は図５の“のしフック”３０１をシンク３１１に通常の取付とした状態である。支持部位３０５が略鉛直となる。（ａ）は正面図、（ｂ）は側面図である。
のしフック３０１はシンクの対面の壁３１２のほぼ中央の上端に貼り付けた。
２つの“のしフック”３０１の取付間隔は略１２０ｍｍである。
シンクの壁は清浄にした。冬場だったので、シンクの壁３１２と取付部位３０７の粘着テープはドライヤーで暖めてから貼り付けた。
刺し部位先端３０２のシンクの底３１３からの距離は略２００ｍｍである。
シンクの壁３１２は抜きテーパで１〜２度ほど傾斜している。
【００４４】
一斤の食パンの包装袋は巾が略２００ｍｍで高さが略２５０ｍｍである。上端の口を若干折り返して取り付ければシンクの底に接する状態で取り付けることができるが、必ずしも折り返す必用はない。
図６（ｃ）に示すように開口は適度である。
極薄の保護袋も図３（ｃ）と段落［００３０］と［００３１］の記述のように開口した状態でしっかり保持して使用できる。
大きめの袋も図３（ｂ）と段落［００３１］の記述のように２ヶ所の刺す位置を調節して間に皺を作って適度の開口とすることができる。
ゴミ袋の取り付けは段落［００２７］に述べたように極めて簡単である。
ゴミ袋の取り外しは段落［００２９］に述べたように極めて簡単である。
取り付けてから略半年になるが、取付部位３０７の粘着が部分的に剥がれたのは片側が１回だけである。両面テープを交換して修復した。正しく取り付ければ、ほぼ適正な強度であると言える。
【００４５】
ゴミ袋の底の両端に刺し部位で小さな穴を一つづつ開けておくと、水切り袋となる。
水切りは段落［００３３］に述べたように良好である。しばらく放置した状態でゴミ袋を取り外して手で強く押しつぶしても穴から出る水は僅かである。シンクが水で浸されても、水がゴミ袋に逆流入することはほとんどない。
【００４６】
シンク３１１をたわしやスポンジや布巾で掃除する場合でも“のしフック”３０１はほとんど邪魔にならない。
棒状部材には汚れはほとんど付かない。ついても簡単に洗ったり拭き取ったりできる。
取付部位は若干ゴミがつくこともあるが、簡単に洗ったり拭き取ったりできる。角の部分は歯ブラシなどで清掃すると良い。
【００４７】
ここで記述した形状と寸法は一つの例であり、この形状と寸法に限るということではない。
この形状寸法の関係では対向部位は支持部位の上部になるが、一部の形状や寸法を変えると、対向部位は連結部位に位置する場合もある。さらに取付部位の位置によっては、対向部位は取付部位に位置することもある。
【００４８】
シンク３１１の壁３１２の上端には角丸め３１５がついている場合は、取付部位３０７の上辺３１４は角丸め３１５の下に位置するように取り付けることとなる。取付部位３０７の上辺３１４は支持部位３０５が上方に突き出しているために、上辺３１４の一部は歯ブラシも入り難い。
支持部位３０５が上方に突き出している場合は取り外して清掃すればなお良い。取り外しが容易な分離取付部位については実施例３で説明する。取り外しが容易な一体取付部位については実施例４で説明する。
取付部位の汚れと清掃対策はさらに改善できる。これらの改善は後述の実施例で説明する。
【実施例３】
【００４９】
図７に支持部位が取付部位から簡単に取外すことのできる分離取付部位の例を図示した。（ａ）は正面図、（ｂ）は勘合部分の平面断面図、（ｃ）は側面図である。この実施例は固着取付や粘着取付の場合に特に有効である。
取付部位４０２は粘着取付で、粘着部分の面積は実施例２と同様である。図では取付部位４０２のベースの厚さは略１ｍｍとした。
取付部位４０２の中央の盛り上がり部分は図のように２列の溝４０３とする。図では溝４０３を深さ１ｍｍ巾１ｍｍとした。
支持部位４０４には溝４０３に勘合する勘合部位４０５を固着する。
２列の溝４０３と勘合部位４０５は下が狭くなった逆山形形状とし、溝４０３には底は設けず下に解放したものとする。図では溝４０３の逆山形形状は略６０ｍｍの長さで、上の幅は略１４ｍｍ、下の幅は略１０ｍｍとした。
勘合部位４０５を持つ刺し部位・連結部位・支持部位のパーツ４０６を、「のし部」と記述する。
【００５０】
のし部４０６の勘合部位４０５を２列の溝４０３に差し込むと、逆山形形状となっているので、落下しないで固定される。
のし部４０６を上方に引くと、勘合部位４０５は２列の溝４０３から抜けて、取り外すことができる。
【００５１】
のし部４０６を取外した取付部位４０２は上辺４０７も露出するので、簡単に掃除できる。まわりのシンクの掃除もより簡単になる。
勘合部位４０５と溝４０３の勘合部分には実施例２よりは汚れが付きやすい。
しかし、２列の溝４０３は下が狭くなった逆山形形状で下に解放した形状となっている。溝には底は無く、底に汚れが溜まることはない。
また、下に解放した溝４０３は“のし部”を外せば歯ブラシなどで簡単に掃除ができる。勘合部位４０５も単純な形状であり、歯ブラシなどで簡単に掃除ができる。
【００５２】
取付部位４０２や２列の溝４０３などは形状や寸法例を記述したが、この形状や寸法に限るものではない。
例では勘合部位４０５を支持部位４０４に固着すると説明したが、勘合部位４０５は支持部位４０４と一体でも良い。勘合部位を含めて「支持部位」と称することもできる。
溝４０３は、巾に比べて深さが浅い方が掃除はし易いので好ましいが、確実にかみ合う必要があるので、寸法はデザイナーのセンスで決まるものである。
勘合部位４０５と溝４０３の勘合部分は図のような直線形状だけでなく、曲線形状でも良い。
また、溝４０３の形は図のような段形状だけでなく、テーパ形状でも良い。など。
【００５３】
また、落下止めとして図のように逆山形形状としたが、平行の溝で落下防止の当り部位がついた形状としても良い。
落下防止の当り部位は勘合部位４０５の側につける方法と、取付部位４０２につける方法、両方につける方法、がある。部分的な小さな出っ張り程度の形状とすれば、勘合部位４０５や取付部位４０２の掃除が困難になるということが無くて好ましい。
例えば、少なくとも一つの落下防止の背の低い当り部位を取付部位４０２につけ、弾性のある勘合部位４０５に当り部位をキャッチする複数の凹みを高さを変えてつけると、高さを段階的に変更できる。当り部位と凹みと弾性を取付部位４０２か勘合部位４０５のどちらにつけるかは任意であるし、当り部位と凹みの数も任意である。また、高さを段階的に変更する方法はここに例示した方法とは限らない。
【００５４】
取付部位４０２の端は薄くて若干湾曲できるようにすると、粘着部分の密着が良好となる。例えば材料がポリプロピレンであれば、１ｍｍ程度の厚さで若干の弾力性を持たせることができる。これは一例であり、材料と厚さは状況に応じて決定されるものである。
取付部位４０２が硬い部材の場合も、粘着材を厚みや柔軟性のあるものとすると、粘着部分の密着が良好となる。
粘着材は普通のもので差支えがないが、剥がせる粘着材とすると移動などが容易となる。さらに再貼り付け可能な粘着材とすると、剥がして洗剤で洗って乾燥させると、そのまま再び取り付けることができて、更に好ましい。
溝４０３が図のように取付部位４０２から盛り上がった形状とする場合は、その境界部分は図のように円弧形状とすると、汚れ難くて掃除が容易となり好ましい。勘合部位４０５も図のように滑らかな形状とすると、汚れ難くて掃除が容易となり好ましい。
【００５５】
この実施例は分離取付部位の一例を説明したもので、この例に限るものではない。分離取付部位の分離方法は様々な方法がある。例えば、ホック状の分離取付方法などを思いつくこともあるであろう。しかし、それらの様々な方法を列記するのは本発明の主題ではない。
この実施例では溝を一組として説明したが、溝を複数組設けると“のし部”の位置を変更できる。“のし部”の位置が変更できれば、小さい袋は対の“のしフック”の間隔を狭くし、大きい袋は間隔を広くするなど、ゴミ袋の開口を最適にするような使用方法も可能である。
“のし部”の位置を変更する方法はこれには限らない。例えば溝構造を横にスライドする機構とするなど、通常考えられる様々な方法が利用できる。
この実施例では被取付部材に取り付ける取付部位と“のし部”が１個づつのセットとして説明したが、この数に限定するものではない。取付部位を複数個とし、例えば“のし部”を１個や２個や３個などとするなど、数の異なる取付部位と“のし部”のセットとすることを除外するものではない。
複数の刺しフックをセットで使用する場合、ゴミ袋の開口を最適にするような使用方法が可能である。
【実施例４】
【００５６】
吸着取付の“のしフック”の実施例を図８に示す。吸盤を使用した。
刺し部位・連結部位・支持部位の形状は実施例３と同じである。支持部位の長さは略６０ｍｍとした。刺し部位・連結部位・支持部位をここでも“のし部”と記述する。
使用した吸盤は直径略５５ｍｍのゴム製で、中央に直径略１５ｍｍ高さ略５ｍｍの突起を持つ。突起の根元に２ｍｍのドリルで穴を開けた。
支持部位の端を球形に丸め、吸盤の穴に押し込んだ。穴は縮んでいるので、押し込みの抵抗力は強い。従って“のし部”は吸盤に固定に近く保持される。強い力で引けば抜くことも可能であるから、分離取付部位とも言えるが、一体取付部位とも言える。
のし部の回転に対する抵抗力も程ほどの強さである。ゴミ袋の抜き差しでの前後の荷重に対する吸盤の抵抗力も十分の強さである。
【００５７】
のし部の機能と特徴は、段落［００２７］〜［００３３］［００４４］〜［００４７］に述べた内容と同様である。
今回は“のし部”の連結部位の上をシンクの縁とほぼ同じ高さとしてみた。シンクの縁の掃除は実施例２の段落［００４６］の説明よりさらに容易である。
のし部の支持部位の長さには余裕があるので、“のし部”の高さは調節できる。シンクの縁より高くすることも可能である。シンクが浅い場合はそのようにした方がゴミ袋を深くすることが出来るので、好みに応じて調節すれば良い。
吸着取付の取付部位は被取付部材から容易に取り外しが出来るので、“のし部”を高くしていてシンクの縁の掃除の邪魔になる場合は、のしフックを取り外せは良い。
のしフックそのものの掃除も、必要に応じて取り外して行うことができるので、掃除はさらに容易である。簡単で小さな構造であるから、掃除の手間は少ない。
濡れた吸盤は取付位置をスライド移動することも可能であるので、“のしフック”を対で使用する場合は、小さいサイズのゴミ袋では対の“のしフック”の間隔を狭くし、大きいサイズのゴミ袋では対の“のしフック”の間隔を広くし、ゴミ袋の開口を適正に調節することができる。もちろん位置調節はスライド移動に限らず、取り外して取り付ける場合もある。
複数の刺しフックをセットで使用する場合、ゴミ袋の開口を最適にするような使用方法が可能である。
吸着取付の“のしフック”は取り付けて使用する場所を簡単に変更できる利点がある。
【００５８】
この例で使用した吸盤はゴム製であったが、この材料に限るものではない。
この例では大きめの吸盤１個の例で説明したが、複数の吸盤を使用すれば、吸盤の大きさは小さくできるし、のし部の安定性も高まり、意匠的にもなり、支持部位の長さは吸盤の径を気にする必要が無く、デザインがやり易い。支持部位を長くすれば、高さの調節範囲も大きくできる。複数の吸盤はサイズを変えても良い。
【実施例５】
【００５９】
対向部位５０２が取付部位５０３に位置する例を図９に示す。磁石による吸着取付の例で図示した。（ａ）は平面図、（ｂ）は側面図で一部は断面図である。
刺し部位と連結部位と取付部位は一体のプラスチックの成型物とした。
この場合の支持部位５０４は取付部位５０３と一体である、または取付部位５０３は支持部位５０４でもある、と言える。
プラスチックは硬質のものである。刺し部位５０５の直径は５ｍｍとした。刺し部位５０５は長さ略１６ｍｍの直線と半径略７．５ｍｍの円弧とした。先端仰角は３０度とした。連結部位５０６は、長さ略１０ｍｍの直線、半径略７．５ｍｍの円弧の棒状で、１５ｍｍ余の長さの直線部は末広がりの曲面形状で構成し、取付部位５０３につながっている。刺し部位間隙は略３ｍｍとした。
【００６０】
磁石による吸着は、プラスチック成型物の背面の溝にコの字型の鉄板５０７を接着などし、コの字型の鉄板５０７の中にセラミックなどの磁石５０８を吸着させるのが一般的である。
汚れやヌメリの発生する用途では、溝と鉄板５０７と磁石５０８の隙間が汚れやすく、掃除がし難い。これらは一体成型するなどして、隙間のない構造とするのが望ましい。
磁石による吸着は、最近は極めて強力なネオジム磁石も一般に使用されるようになったので、相当に小さいサイズとすることも可能である。市販されている普通のフックのネオジム磁石は厚さ２ｍｍ縦横２０ｍｍ弱で耐荷重２．５キログラムもある。のしフックとして十分過ぎるほどの強さである。
【００６１】
のしフックの機能と特徴は、段落［００２７］〜［００３３］［００４４］〜［００４７］に述べた内容と同様である。
磁石による吸着取付は、着脱が容易で、実施例４と同様に被取付部材と“のしフック”の清掃は容易である。
【実施例６】
【００６２】
取付部位について吸着取付と固着取付と粘着取付の違いを説明する。
【００６３】
のしフックとしての取付部材の取付強度は、ゴミの入ったゴミ袋が落下しない強さであれば良い。例えば一斤の食パンの包装袋に８分目に入った生ゴミは約２ｋｇｒである。ゴミ袋の底がシンクなどの底に支えられる場合はこの数分の一の取付強度で済む。
加えて、ゴミ袋を刺すモーメントに耐える剥離強さがあれば良い。
ゴミ袋を刺す力は使用するゴミ袋と鋭利形状の程度によって異なる。
参考値として述べれば、直径２ｍｍで頂角３０度の円錐の鋭利形状で食パンの包装袋１枚を刺す時の力は１００グラム程度である。
取付強度は使用目的とデザインと安全率により変わるものであり、限定的に数値が示されるものではない。
【００６４】
吸着取付の吸着方法は大きく分けて、磁石を使用するものと、吸盤を使用するものがある。
吸着取付は着脱が容易であるのが特徴である。
吸着取付の“のしフック”は使用する場所や間隔を簡単に変更できる利点がある。
【００６５】
しかし、磁石による吸着取付は使用できない場合もある。例えば非磁性のステンレス製シンクには吸着しない。
吸盤による吸着取付は取付面が一般には平滑であることが必要である。最近は若干の凸凹面に吸着できる吸盤も市販されてはいる。一般にシンクの壁面は絞り加工で平滑であるが、縁などの上面にはデザイン的なシボの入ったものも多い。普通の吸盤を使用する場合は壁面に取り付けるようにデザインするのが良い。
【００６６】
固着取付は、ねじを使用する方法と、接着剤を使用する方法がある。
ねじによる固着取付は被取付部材が木製などであることが必要である。穴があいても後々支障のないところに使用する。
接着による固着取付は一般には剥がすことのない用途に使用する。
ホットメルトなどによる接着ならば、場合によっては剥がして綺麗にすることも可能である。
固着取付は簡単には取り外せないので、外さないで良い用途に使用するのが良い。
【００６７】
粘着取付は吸着取付ほどの着脱容易性はないが、取り外しは可能である。
粘着取付は取り付け場所の制限は少ない。
しかし、使用する粘着材によっては剥がれやすいときもある。例えば塩ビ壁紙などへの粘着は制限があるが、壁紙用の粘着材も市販されている。
粘着取付も剥がせる粘着材とすれば、綺麗に剥がしやすい。粘着材を新しくすればもう一度取り付けるのも簡単である。
貼り直し可能な粘着であれば、剥がして、洗って、乾燥させて、そのまま再度取り付けることが出来る。
【００６８】
のしフックの取付部位を固着取付と粘着取付と吸着取付とその他の何れとするかは、使用目的で選択することが必要である。
【実施例７】
【００６９】
刺し部位の鋭利形状について例を挙げて説明する。
図１０に幾つかの例を図示した。針型、錐型、面取り型、槍型、などの例である。
鋭利形状はゴミ袋に刺されば良いので、その形状は問わない。図示した例に限るものではない。
また、先端は必ずしも刃物のように鋭利である必要はない。刺す対象が一般には柔軟な袋であるから、先端が例えば０．５ｍｍ程度の平坦であっても実用上は差支えがない。例えば直径１ｍｍ程度の棒であれば、先端を円錐形状などに加工しなくても、棒のままでも鋭利形状ということができる。
【００７０】
刺し部位の断面形状は円形とは限らない。矩形。長方形、板状、多角形、楕円形、半月形、任意の形状、などで良い。実施例４や実施例１１のように穴に差し込むタイプの場合は、円形断面でない方が回転に対する抵抗力を大きくできる。
棒状の素材である場合はステンレス棒の場合は１ｍｍ以上あれは好ましいだろう。銅や真鍮の棒であれば２ｍｍ以上あれは好ましいであろう。硬質プラスチックの場合は３ｍｍ以上あれは好ましいであろう。最小の太さは素材の強度と剛性だけではなく、連結部位や支持部位の大きさなどでも変化する。従って例示した寸法は実施例２、３、４で説明した程度の大きさに対する目安の数値である。従って、刺し部位などの最小の太さはこれらの寸法に限るものではない。
太さの最大値は連結部の大きさから制限されるだけである。連結部の大きさはデザイン的に定めるもので、大きさの制限は無い。従って刺し部位や連結部位や支持部位の最大の太さにも理論的な制限はない。ゴミ袋を刺すという機能と見かけからは刺し部位は太すぎない方が好ましい。好ましい値として１０ｍｍ程度までとしておく。これらのの寸法は使用する材料とデザインから適宜定めると良い。
【実施例８】
【００７１】
のの字形状の連結部位について例を挙げて説明する。
のの字形状とは、刺し部位から上方に回って支持部位や取付部位に至る連結する形状を簡便に称したものである。
図１１に幾つかの例を図示した。円形のの字、矩形のの字、楕円のの字、ハートのの字、林檎のの字、リーフのの字、などである。
【００７２】
連結部位の“のの字形状”は、今までの実施例でも図例したように形状は任意である。サイズも任意である。連結部の形状とサイズは重要な意匠的部分である。例えばハート型にするとか、キャラクター形状にするとか、木の葉や蔓をイメージするようにするとか、デザインによって決めれば良い。
【００７３】
刺し部位と連結部位と支持部位は断面形状が同一や均一であるとも、同一寸法であるとも限定しておらず、本発明の条件ではない。プラスチックや鋳物などの成型物とした場合は、この辺りのデザインは自由に展開することが容易である。
刺し部位と連結部位と支持部位は一つの物体と限定しているわけではない。一部が挿入やねじ止めなどの組構造であっても、形状関係や機能が同様であれば本発明の範疇である。例えば図１１の林檎のの字にそのイメージを描いた。
連結部位や支持部位や取付部位には、ハート型などの飾りの物体などの別体が取り付けられていても良い。
【実施例９】
【００７４】
取付部位が水平となった例を図１２に示した。（ａ）は正面図、（ｂ）は側面図である。
刺し部位の巾は略１０ｍｍ、厚さは略０．５ｍｍ、長さは略２０ｍｍ、刺し部位先端の鋭利形状は槍型とし、先端仰角は略６０度、先端外角は略１２０度、連結部位の高さは略１５ｍｍ、巾は略２０ｍｍ、支持部位は水平に略４０ｍｍとし、支持部位の下面に貼り直し可能な厚めの粘着材を直接つけて取付部位とした。
連結部位の前は面となっており、ここには図示しないキャラクターの図柄の印刷などができる。板の全ての側面は角丸めして、見栄えを良くし、ゴミ袋が裂けたり手指が傷んだりしないようにする。
【実施例１０】
【００７５】
汚れが付き難くて清掃が容易な取付部位などの対策について、図１３に例を示して説明する。
図１３の左は汚れ易く掃除し難い形状で、矢印の右は汚れ難く掃除し易い形状に改善した様子を示す。
基本的には下記のように処置するのが良い。
上辺６０２は傾斜させる。
角６０３は丸める。
底６０４は出来るだけ設けない。どうしても必用なら角を出来るだけ大きく丸める。
底６０４に替わる当り部位をつける場合は、滑らかで背の低い単純な形の凸形状６０５とする。凸形状に勘合する凹みが必要なら、滑らかで浅い単純な形状とする。
溝が必用なら、巾に対して深さを浅くする。
例えば磁石などを挿入した溝があるなら、その隙間は固体で埋める、または粘着フィルムなどで全体に蓋をする。など。
この例に類する処置を講ずれば、それらの部位や、被取付部材や、それらの接合部分などは、汚れが付き難く、清掃も容易となる。
【実施例１１】
【００７６】
取付部位のない“のしフック”をゴミ箱に使用した例を図１４に示した。
ゴミ箱７０２の内側上部に複数の“のしフック“７０３を取り付けた例である。
のしフック７０３はゴミ箱７０２に固定されていても、着脱可能に取り付けられていても良い。着脱可能とする方法は、ゴミ箱７０２に穴のあいた段７０４を設け、“のしフック”７０３の支持部位を差し込む、などすれば良い。“のしフック”７０３の支持部位の断面形状を例えば六角形とし、段７０４の穴も六角形とすれば、“のしフック”７０３が回転しなくて都合が良い。
【００７７】
普通のゴミ箱は、ゴミ袋の開口部を裏返してゴミ箱の上辺に掛けてゴミ袋を保持する。裏返したゴミ袋はゴミ箱の外に露出するので、ゴミ箱に蓋が付いていても見栄えが悪い。
ゴミ箱に内箱を設けて、ゴミ袋の露出を隠すようにしたゴミ箱もある。この場合、内箱の外に露出したゴミ袋を外箱の中に綺麗に収納するのに少々手間がかかる。特にレジ袋などで取っ手のついたものは手間取ることが多い。サイズの大きすぎるゴミ袋も外箱の中に綺麗に収納するのに手間がかかる。
普通のゴミ箱にゴミ袋を取り付ける場合、ゴミ箱より小さいゴミ袋は、開口部を裏返してゴミ箱の上辺に完全に掛けることが出来ない。やむを得ず一部分だけ掛けて済ませるが、落下しやすい。
【００７８】
図１４に例示した“のしフック”７０３のついたゴミ箱７０２の場合は、これらの問題が一挙に解決する。
ゴミ袋の口の一ヶ所を一つの“のしフック”７０３に刺して固定する。レジ袋などは取っ手の部分を折り返しておくと良い。後は複数の“のしフック”７０３の適当な箇所を選択して、ゴミ袋の開口部を必要最小限に支えれば、ゴミ袋の取り付けは完了である。
ゴミ袋の開口部はゴミ箱７０２の内部に収納されるので、見栄えは綺麗である。蓋があれば完全に見えなくできる。
大きなゴミ袋も折り寄せてきれいに取り付けることができる。
小さいゴミ袋もしっかり取り付けることができるので、落下することもない。
外箱だけでも見栄えが良いので、内箱の必要性は少なくなる。
【００７９】
被取付部材はこの例のゴミ箱に限るものではない。
のしフックの取付位置や数はこの例に限るものではない。
のしフックの取付方法はこの例に限るものではない。段７０４を設けることは条件ではない。
のしフックをゴミ箱の所定の部位に固定または取り付ける例で説明したが、“のしフック”は、支持部位を任意の被取付部材に紐で縛るような使用方法もある。例えば庭のフェンスにビニール粘着テープで巻いて留める、木の幹や枝に紐で縛る、などである。
【産業上の利用可能性】
【００８０】
本発明は、家庭のシンクや厨房のシンクで使用する水切りゴミ袋を保持する用途に使用できる。
本発明は、一般のゴミ箱でゴミ袋を保持する用途にも使用できる。
本発明は、ゴミ箱なしでゴミ袋を保持する用途にも使用できる。
【符号の説明】
【００８１】
００１  のしフック
００２  刺し部位
００３  刺し部位先端
００４  先端仰角
００５  対向部位
００６  対向間隙
００７  連結部位
００８  支持部位
００９  取付部位
０１０  被取付部材
０１１  先端外角
１０１  ゴミ袋
１０２  口
１０３  ゴミ
２０１  ゴミ袋ホルダー
２０２  針形状
２０３  角丸め
２０４  矩形状態
２０５  第四辺
２０６  第五辺
２０７  棚
２０８  第三辺
３０１  のしフック
３０２  刺し部位先端
３０３  刺し部位
３０４  連結部位
３０５  支持部位
３０６  対向部位
３０７  取付部位
３０８  矩形
３０９  矩形
３１０  矩形
３１１  シンク
３１２  壁
３１３  底
３１４  上辺
３１５  角丸め
４０２  取付部位
４０３  溝
４０４  支持部位
４０５  勘合部位
４０６  のし部
４０７  上辺
５０２  対向部位
５０３  取付部位
５０４  支持部位
５０５  刺し部位
５０６  連結部位
５０７  鉄板
５０８  磁石
６０２  上辺
６０３  角
６０４  底
７０２  ゴミ箱
７０３  のしフック
７０４  段
【要約】
【課題】  汚れ難く、清掃し易く、極薄の袋やサイズの小さい袋を含めた廃物の袋も使用でき、袋の装着は容易で、袋の開口は良好で、袋の取り外しは容易で、指を傷つける心配もなく、水切りの効果も高く、周辺の清掃の邪魔にもならない、コンパクトなゴミ袋ホルダーを提供する。  
【解決手段】  刺し部位先端を理論先端仰角をもたせた鋭利形状とし、刺し部位から上方に連結部位を形成して支持部位を作り、必要に応じて支持部位に取付部位を有し、連結部位または支持部位または取付部位を対向部位とし、対向間隙を理論対向間隙とし、ゴミ袋の口の一部を刺し部位に刺す。
【選択図】図５【図１】
0005647370.tif 000002
【図２】
0005647370.tif 000003
【図４】
0005647370.tif 000004
【図５】
0005647370.tif 000005
【図６】
0005647370.tif 000006
【図７】
0005647370.tif 000007
【図９】
0005647370.tif 000008
【図１０】
0005647370.tif 000009
【図１１】
0005647370.tif 000010
【図１２】
0005647370.tif 000011
【図１３】
0005647370.tif 000012
【図１４】
0005647370.tif 000013
【図３】
0005647370.tif 000014
【図８】
0005647370.tif 000015